(57)【要約】【課題】軽微な衝突であっても物体検知装置に異常の可能性が生じたことをユーザに認識させることができる車両用警報構造を提供する。【解決手段】車両用警報構造１００は、車両走行時に所定の電磁波を照射して車外の物体を検知する物体検知装置としてミリ波レーダ１０２を備える車両用警報構造において、車両用警報構造はさらに、物体検知装置から照射される電磁波を遮蔽する材質を有し電磁波の照射範囲外に配置された遮蔽部材１１６であって、塑性変形することにより少なくとも一部が電磁波の照射範囲内に入って電磁波を遮蔽する遮蔽部材と、遮蔽部材を車体に固定し遮蔽部材とともに塑性変形する固定部材１１８と、固定部材とともに遮蔽部材が塑性変形し電磁波を遮蔽すると所定の検知信号を出力する異常検知部１５２と、検知信号に基づいて所定の報知を行う報知部１５４とを備えたことを特徴とする。【選択図】図３
2017121830.tif 000002
【特許請求の範囲】
【請求項１】
車両走行時に所定の電磁波を照射して車外の物体を検知する物体検知装置を備える車両用警報構造において、当該車両用警報構造はさらに、
前記物体検知装置から照射される電磁波を遮蔽する材質を有し該電磁波の照射範囲外に配置された遮蔽部材であって、塑性変形することにより少なくとも一部が前記電磁波の照射範囲内に入って該電磁波を遮蔽する遮蔽部材と、
前記遮蔽部材を車体に固定し該遮蔽部材とともに塑性変形する固定部材と、
前記固定部材とともに前記遮蔽部材が塑性変形し前記電磁波を遮蔽すると所定の検知信号を出力する異常検知部と、
前記検知信号に基づいて所定の報知を行う報知部とを備えたことを特徴とする車両用警報構造。
【請求項２】
前記固定部材は、
所定の車体構成部材から、車両の外形を構成し前記電磁波の照射を受ける所定の車両パネルに向かって、前記物体検知装置側の斜め上方から接近するように延び、
前記遮蔽部材は、
前記固定部材のうち前記車両パネルに近接した下端に固定され該下端から前記物体検知装置に向かって前記車両パネル側の斜め下方から接近するように延び、前記物体検知装置の前記車両パネル側の面の上に到達していることを特徴とする請求項１に記載の車両用警報構造。
【請求項３】
当該車両用警報構造はさらに、
前記物体検知装置の前記車両パネル側に設けられ衝突時に前記遮蔽部材のうち前記物体検知装置の前記車両パネル側の面上に到達している上端を下方から上方に向けて案内するガイド部材を備えることを特徴とする請求項２に記載の車両用警報構造。
【請求項４】
前記車両パネルは、フロントバンパであり、
前記固定部材は、前記物体検知装置の周辺を覆うシュラウドであることを特徴とする請求項２または３に記載の車両用警報構造。
【発明の詳細な説明】
【技術分野】
【０００１】
本発明は、車両走行時に所定の電磁波を照射して車外の物体を検知する物体検知装置を備える車両用警報構造に関するものである。
【背景技術】
【０００２】
近年、自動車などの車両には、ミリ波レーダや車載カメラなどの物体検知装置が搭載されている。物体検知装置は、例えば車両走行時に所定の電磁波を放射状に照射し、電磁波の照射範囲内にある物体を検知する。
【０００３】
このような物体検知装置は、車両の進行方向にある物体の有無や相対的な車間距離等を検知するＡＣＣ（Adaptive Cruise Control System、車間距離制御システム）や、走行中に障害物との衝突を予知するとブレーキを自動で作動させるＡＥＢＳ（Automatic Emergency Braking System、自動緊急ブレーキシステム）に用いられている。
【０００４】
特許文献１には、赤外領域に感度を持つ車載カメラにより障害物を認識し、障害物との距離が所定値以下となった場合に強制的に減速させる自動緊急ブレーキシステムを備えた車両が記載されている。
【先行技術文献】
【特許文献】
【０００５】
【特許文献１】特開２０１５−１１８５８１号公報
【発明の概要】
【発明が解決しようとする課題】
【０００６】
自動緊急ブレーキシステムを備えた車両では、物体検知装置に異常が発生すると、車両走行時にユーザが意図しない緊急ブレーキが作動し、安全性を損なう可能性がある。そのため、物体検知装置は、安全性を確保する上で、衝突後などに検査することが好ましい。
【０００７】
ところが物体検知装置は、例えばフロントバンパなどの車両後方に搭載されていて、車両の外部から視認することができない。このため、衝突に伴って物体検知装置に異常が発生していたとしても、軽微な衝突など車両の外観に変化が生じていない場合には、ユーザは、物体検知装置の検査を怠る場合があり得る。また仮に、物体検知装置に実際には異常が発生していなくても、ユーザに対して物体検知装置に異常の可能性が生じたことを認識させ、物体検知装置の検査を促すこと自体が、安全性を高めることに寄与する。
【０００８】
本発明は、このような課題に鑑み、軽微な衝突であっても物体検知装置に異常の可能性が生じたことをユーザに認識させることができる車両用警報構造を提供することを目的としている。
【課題を解決するための手段】
【０００９】
上記課題を解決するために、本発明にかかる車両用警報構造の代表的な構成は、車両走行時に所定の電磁波を照射して車外の物体を検知する物体検知装置を備える車両用警報構造において、車両用警報構造はさらに、物体検知装置から照射される電磁波を遮蔽する材質を有し電磁波の照射範囲外に配置された遮蔽部材であって、塑性変形することにより少なくとも一部が電磁波の照射範囲内に入って電磁波を遮蔽する遮蔽部材と、遮蔽部材を車体に固定し遮蔽部材とともに塑性変形する固定部材と、固定部材とともに遮蔽部材が塑性変形し電磁波を遮蔽すると所定の検知信号を出力する異常検知部と、検知信号に基づいて所定の報知を行う報知部とを備えたことを特徴とする。
【００１０】
上記構成によれば、車両走行時など通常時には、遮蔽部材が電磁波の照射範囲外に位置し、電磁波を遮蔽することがないため、物体検知装置（例えばミリ波レーダーや車載カメラなど）の機能を損なうことがない。一方、遮蔽部材は、固定部材により車体に固定されていて、衝突時には電磁波を遮蔽するように固定部材とともに塑性変形するため、衝突の痕跡を残すことができる。遮蔽部材が電磁波を遮蔽すると、異常検知部からの検知信号を受けて報知部がその旨を報知する。ユーザは、この報知により、衝突に伴って物体検知装置に異常の可能性が生じたことを認識できる。よって上記構成によれば、衝突が軽微なものであっても、ユーザに対して物体検知装置の検査や修理を促し、安全性を高め万が一の事故を未然に回避できる。なお上記構成は、たとえ物体検知装置に実際には異常がない場合であっても、報知すること自体がユーザに対して物体検知装置の検査を促す契機となり、安全性を高めることに寄与できる。
【００１１】
上記の固定部材は、所定の車体構成部材から、車両の外形を構成し電磁波の照射を受ける所定の車両パネルに向かって、物体検知装置側の斜め上方から接近するように延び、遮蔽部材は、固定部材のうち車両パネルに近接した下端に固定され下端から物体検知装置に向かって車両パネル側の斜め下方から接近するように延び、物体検知装置の車両パネル側の面の上に到達しているとよい。
【００１２】
このように、固定部材は、車体構成部材から車両パネルに接近するほど下方に傾斜していて、その下端は車両パネルに近接している。遮蔽部材は、固定部材の下端に固定され物体検知装置に接近するほど上方に傾斜し、その上端が物体検知装置の車両パネル側の面すなわち電磁波の照射面の上に到達している。また固定部材は、衝撃を受けると遮蔽部材とともに塑性変形するものとされている。よって、車両パネルが衝突時に車内側に向かう衝撃を受けると、固定部材の下端は、車両パネルから車内側に押される。固定部材は、車内側ほど上方に傾斜した傾斜面を形成しているため、下端が車内側に押され移動することで、傾斜面が上方に凸となるように塑性変形する。一方、遮蔽部材は、固定部材の下端から車内側ほど上方に傾斜している。このため、固定部材の傾斜面が上方に凸となる塑性変形に伴って、遮蔽部材は、その上端を車両上方に押し上げるように塑性変形する。これにより、遮蔽部材の上端は、物体検知装置の上を車両上方にスライドすることによって電磁波の照射範囲内に入って電磁波を遮蔽できる。
【００１３】
上記の車両用警報構造はさらに、物体検知装置の車両パネル側に設けられ衝突時に遮蔽部材のうち物体検知装置の車両パネル側の面上に到達している上端を下方から上方に向けて案内するガイド部材を備えるとよい。これにより、衝突時に遮蔽部材が塑性変形した際、その上端は、物体検知装置の上を車両上方にスライドするようにガイド部材によって案内され、物体検知装置からの電磁波を確実に遮蔽できる。
【００１４】
上記の車両パネルは、フロントバンパであり、固定部材は、物体検知装置の周辺を覆うシュラウドであるとよい。これにより、フロントバンパが衝突時に車両前面からの衝撃を受けると、遮蔽部材の上端が車両上方に移動して電磁波を遮蔽できる。したがって、車両前面の衝突に伴って、物体検知装置に異常の可能性が生じたことをユーザに対して認識させることができる。また、遮蔽部材を車体に固定する固定部材として、ラジエータに走行風を導入するシュラウドを利用している。このため、部品を増やすことなく、遮蔽部材を車体に固定できる。
【発明の効果】
【００１５】
本発明によれば、軽微な衝突であっても物体検知装置に異常の可能性が生じたことをユーザに認識させることができる車両用警報構造を提供することができる。
【図面の簡単な説明】
【００１６】
【図１】本実施形態における車両用警報構造が適用される車両の前面の拡大図である。
【図２】図１の車両からフロントバンパを取り外した状態を示す図である。
【図３】図１および図２の車両用警報構造のＡ−Ａ断面を模式的に示す図である。
【図４】本実施形態における車両用警報構造の機能ブロック図および動作を示すフローチャートである。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
図１は、本実施形態における車両用警報構造が適用される車両の前面の拡大図である。
車両用警報構造１００は、図中点線で示すミリ波レーダ１０２を備える。ミリ波レーダ１０２は、フロントバンパ１０４の車幅方向中央の車両後方に配置され、例えば車両走行時に所定の電磁波（ここでは、ミリ波帯の電波）を放射状に照射し、電磁波の照射範囲内にある物体を検知する。本実施形態では、物体検知装置としてミリ波レーダ１０２を例示するが、これに代えてミリ波以外の電磁波を照射する車載カメラなどに本発明を適用してもよい。
【００１９】
図２は、図１の車両からフロントバンパ１０４を取り外した状態を示す図である。ミリ波レーダ１０２は、図示のように、車体前部に位置している。車体前部の車体骨格は、バンパメンバ１０６、フードロックメンバ１０８およびレーダブラケット１１０が接合されることにより形成されている。ただし車体前部の車体骨格は、理解を容易にするための例示にすぎず、これに限定されるものではない。
【００２０】
バンパメンバ１０６は、フロントバンパ１０４の後側で車幅方向に延びていてフロントバンパ１０４を支持する。フードロックメンバ１０８は、バンパメンバ１０６よりも上方かつ後側で車幅方向に延びていて、その車幅方向中央に設置された図示を省略するフードロックを介して、図３に示すフード１１２を車体に固定する。
【００２１】
レーダブラケット１１０は、バンパメンバ１０６とフードロックメンバ１０８に架け渡された金属製または樹脂製の板状部材である（図３参照）。レーダブラケット１１０は、図２に示す台座１１４を介して直接的または間接的にミリ波レーダ１０２を固定する。台座１１４は、金属製または樹脂製の板状部材であり、ボルトなどにより直接的または間接的に車両後側でレーダブラケット１１０に固定され、車両前側でミリ波レーダ１０２を固定する。なおレーダブラケット１１０は、ミリ波レーダ１０２を車体に固定可能であれば、適宜の形状を採用してもよく、また、車体前部の車体骨格を形成する他の車体構造部材に直接的または間接的に接合されていてもよい。
【００２２】
車両用警報構造１００はさらに、遮蔽部材１１６、固定部材１１８およびガイド部材１２０を備える。遮蔽部材１１６は、図示のように板状の部材であって、ミリ波レーダ１０２から照射される電磁波を遮蔽しかつ塑性変形する材質を有する。固定部材１１８は、図示を省略するラジエータに走行風を導入するシュラウドであって、その開口１２２にミリ波レーダ１０２およびガイド部材１２０を通して、ミリ波レーダ１０２の周囲を覆っている。さらに固定部材１１８は、遮蔽部材１１６を車体に固定し、遮蔽部材１１６とともに塑性変形する（後述）。
【００２３】
ガイド部材１２０は、図示のように板状の部材であって、その下端１２４がバンパメンバ１０６に固定され、開口１２２を通されてミリ波レーダ１０２に向かって延びている。ガイド部材１２０の上端１２６は、ミリ波レーダ１０２のフロントバンパ１０４側の面すなわち電磁波の照射面１０２ａの上に到達している。
【００２４】
図３は、図１および図２の車両用警報構造１００のＡ−Ａ断面を模式的に示す図である。図３（ａ）、図３（ｂ）は、それぞれ車両走行時における通常時、衝突時での断面形状を示している。なお図中ではフロントバンパ１０４の上方に位置するフード１１２を追加して示し、台座１１４は図示を省略している。
【００２５】
固定部材１１８は、図３（ａ）に示すように、その開口１２２の上縁１２８と下縁１３０との間にミリ波レーダ１０２およびガイド部材１２０が通されるように、その後壁１３２がガイド部材１２０の下端１２４とともにバンパメンバ１０６に固定され位置決めされている。固定部材１１８は、後壁１３２からフロントバンパ１０４に向かって延びる傾斜面１３４を有する。なおフロントバンパ１０４は、車両の外形を構成し図示のようにミリ波レーダ１０２からの電磁波の照射を受ける車両パネルとされる。
【００２６】
固定部材１１８の傾斜面１３４は、後壁１３２からフロントバンパ１０４に向かって、ミリ波レーダ１０２側の斜め上方から接近するように延び、その下端１３６がフロントバンパ１０４に近接している。さらに固定部材１１８は、ガイド部材１２０の下方に位置する壁部１３８を有し、壁部１３８によって後壁１３２と開口１２２の下縁１３０とをつないでいる。
【００２７】
遮蔽部材１１６は、図３（ａ）に示すように、その下端１４０が固定部材１１８の傾斜面１３４の下端１３６に固定されている。ここで、固定部材１１８の後壁１３２が車体構成部材であるバンパメンバ１０６に固定されているため、遮蔽部材１１６は、固定部材１１８によって車体に固定される。本実施形態では、固定部材１１８としてシュラウドを利用しているため、部品を増やすことなく、遮蔽部材１１６を車体に固定できる。
【００２８】
また遮蔽部材１１６は、固定部材１１８の傾斜面１３４の下端１３６からミリ波レーダ１０２に向かって、フロントバンパ１０４側の斜め下方から接近するように延びている。そして遮蔽部材１１６の上端１４２は、ミリ波レーダ１０２の電磁波の照射面１０２ａの上に到達し、電磁波の照射範囲Ｂの直下に位置している。なお電磁波の照射範囲Ｂは、図中鎖線１４４、１４６で区画された領域である。
【００２９】
つまり遮蔽部材１１６は、ミリ波レーダ１０２から照射される電磁波の照射範囲Ｂ外に配置されている。よって、図３（ａ）に示す車両走行時など通常時には、遮蔽部材１１６が電磁波を遮蔽することがないため、ミリ波レーダ１０２の機能を損なうことがない。またガイド部材１２０の上端１２６は、図３（ａ）に示すように、ミリ波レーダ１０２の電磁波の照射面１０２ａの上に到達していて、遮蔽部材１１６の上端１４２にミリ波レーダ１０２側で接している。
【００３０】
つぎに、衝突時での遮蔽部材１１６の挙動について説明する。フロントバンパ１０４が衝突時に車両前面からの衝撃を受けると、フロントバンパ１０４は、図３（ａ）の矢印Ｃで示す車両後側に移動する。つぎに、固定部材１１８の下端１３６および遮蔽部材１１６の下端１４０は、フロントバンパ１０４から車両後側に押される。
【００３１】
ここで固定部材１１８は、車両後側に向かうほど上方に傾斜した傾斜面１３４を形成している。このため、固定部材１１８の下端１３６が車両後側に押され移動することで、傾斜面１３４は、図３（ｂ）の矢印Ｄのように上方に凸となるように塑性変形する。
【００３２】
一方、遮蔽部材１１６は、固定部材１１８の下端１３６から車両後側ほど上方に傾斜している。このため、固定部材１１８の傾斜面１３４の矢印Ｄに示す塑性変形に伴って、遮蔽部材１１６は、その上端１４２を車両上方に押し上げるように塑性変形する。これにより、遮蔽部材１１６の上端１４２は、矢印Ｅに示すように、ミリ波レーダ１０２の上を車両上方にスライドすることによって電磁波の照射範囲Ｂ内に入って電磁波を遮蔽する。このとき、遮蔽部材１１６の上端１４２は、ガイド部材１２０の上端１２６と接しながら、ミリ波レーダ１０２の上を車両上方にスライドするようにガイド部材１２０によって下方から上方に向けて案内される。
【００３３】
このため、遮蔽部材１１６は、固定部材１１８の下端１３６が車両後側に押されて塑性変形することで、上端１４２によってミリ波レーダ１０２からの電磁波を確実に遮蔽できる。これにより、電磁波の正常な照射範囲Ｂは、図３（ｂ）に示すように、遮蔽部材１１６の上端１４２により遮蔽された分だけ欠損した照射範囲Ｆとなる。なお電磁波の照射範囲Ｆは、図中鎖線１４４、１４８で区画された領域である。
【００３４】
このように、遮蔽部材１１６は、衝突時にはフロントバンパ１０４から衝撃を受け、電磁波を遮蔽するように塑性変形することで、電磁波の照射範囲を変化させて衝突の痕跡を残すことができる。また遮蔽部材１１６は、車両の外観に変化が生じないような軽微な衝突であっても衝突の痕跡を残すように、その形状や材質が適宜設定される。一例として、図３（ａ）に示す固定部材１１８の下端１３６および遮蔽部材１１６の下端１４０と、通常時でのフロントバンパ１０４との車両前後方向の距離を短くすればするほど、軽微な衝突であってもその痕跡を残すことができる。
【００３５】
図４は、本実施形態における車両用警報構造１００の機能ブロック図および動作を示すフローチャートである。車両用警報構造１００は、図４（ａ）に示すように、ミリ波レーダ１０２に加え、メモリ１５０、異常検知部１５２および報知部１５４を備え、これらは制御部１５６によって制御されている。メモリ１５０は、例えばミリ波レーダ１０２の電磁波の正常な照射範囲Ｂを示すデータを格納している。メモリ１５０、異常検知部１５２、報知部１５４および制御部１５６は、図４（ａ）以外の図面では図示省略しているが、ミリ波レーダ１０２の周辺または車両内の任意の場所に適宜設けてよい。
【００３６】
異常検知部１５２は、例えばミリ波レーダ１０２からの電磁波の照射範囲をモニタしていて、メモリ１５０から読み出した電磁波の正常な照射範囲Ｂを示すデータと、現状の電磁波の照射範囲とを比較し、現状の照射範囲が異常であれば所定の検知信号を出力する。つまり、異常検知部１５２は、フロントバンパ１０４からの衝撃を受けて遮蔽部材１１６が塑性変形し、その上端１４２が電磁波を遮蔽することで、正常な照射範囲Ｂが異常な照射範囲Ｆになると（図３（ｂ）参照）、検知信号を報知部１５４に出力する。
【００３７】
報知部１５４は、検知信号を受けて、インストルメントパネルなどに配置された所定の表示部を用いた表示や、スピーカからの音声などによってユーザに対して報知を行う。
【００３８】
すなわち車両用警報構造１００では、図４（ｂ）に示すように、車両走行時にミリ波レーダ１０２から電磁波（ミリ波）が照射されると（ステップＳ１００）、電磁波の照射範囲が正常か否かを判定する（ステップＳ１０２）。つぎに、車両用警報構造１００では、ステップＳ１０２で電磁波の照射範囲が異常であれば（Ｎｏ）、報知を行い（ステップＳ１０４）、正常であれば（Ｙｅｓ）、再びステップＳ１０２に戻り、電磁波の照射範囲をモニタする。
【００３９】
このように車両用警報構造１００によれば、遮蔽部材１１６が電磁波を遮蔽すると、異常検知部１５２からの検知信号を受けて報知部１５４がその旨を報知する。よってユーザは、この報知により、衝突に伴ってミリ波レーダ１０２に異常の可能性が生じたことを認識できる。したがって、車両用警報構造１００によれば、衝突が軽微なものであっても、ユーザに対してミリ波レーダ１０２の検査や修理を促し、安全性を高めることができる。
【００４０】
一例として、ミリ波レーダ１０２が自動緊急ブレーキシステムに適用された場合、ミリ波レーダ１０２に異常が生じたまま使用すると、車両走行時にユーザが意図しない緊急ブレーキが作動する事態があり得る。しかし本実施形態によれば、ミリ波レーダ１０２の検査や修理を促すことで、このような万が一の事故を未然に回避できる。
【００４１】
仮にミリ波レーダ１０２に実際には異常がなかった場合であっても、報知すること自体がユーザに対してミリ波レーダ１０２の検査を促す契機となり、安全性を高めることに寄与することになる。
【００４２】
上記実施形態では、ミリ波レーダ１０２を車両前部に配置し、電磁波の照射方向を車両前側とすることで車両前方の物体を検知するようにしたが、これに限定されない。一例として、ミリ波レーダ１０２を車両側部または車両後部に配置し、電磁波の照射方向を車両側方または車両後方とすることで、車両側方または車両後方の物体を検知するようにしてもよい。
【００４３】
このような場合には、車体の外形を構成し電磁波の照射を受ける所定の車両パネルに対して、固定部材１１８の下端１３６および遮蔽部材１１６の下端１４０を近接させ、遮蔽部材１１６を固定部材１１８により車体に固定すればよい。このようにすれば、衝突時に車両パネルが固定部材１１８の下端１３６を車内側に押し付けることで、遮蔽部材１１６は塑性変形し上端１４２により電磁波を遮蔽できる。よって、本実施形態の前突に限らず、側突および後突においてもミリ波レーダ１０２に異常の可能性が生じたことをユーザに認識させることができる。
【００４４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４５】
本発明は、車両走行時に所定の電磁波を照射して車外の物体を検知する物体検知装置を備える車両用警報構造に利用することができる。
【符号の説明】
【００４６】
１００…車両用警報構造、１０２…ミリ波レーダ、１０２ａ…電磁波の照射面、１０４…フロントバンパ、１０６…バンパメンバ、１０８…フードロックメンバ、１１０…レーダブラケット、１１２…フード、１１４…台座、１１６…遮蔽部材、１１８…固定部材、１２０…ガイド部材、１２２…固定部材の開口、１２４…ガイド部材の下端、１２６…ガイド部材の上端、１２８…開口の上縁、１３０…開口の下縁、１３２…固定部材の後壁、１３４…固定部材の傾斜面、１３６…傾斜面の下端、１３８…固定部材の壁部、１４０…遮蔽部材の下端、１４２…遮蔽部材の上端、１５０…メモリ、１５２…異常検知部、１５４…報知部、１５６…制御部
【図１】
2017121830.tif 000003
【図２】
2017121830.tif 000004
【図３】
2017121830.tif 000005
【図４】
2017121830.tif 000006